(57)【要約】      （修正有）【課題】記録媒体が転写部と定着部との間にわたって介在することにより画質低下が発生するのを抑制することを可能とした画像形成装置を提供する。【解決手段】トナー像を保持する中間転写ベルト２１と、中間転写ベルト２１に保持されたトナー像を記録媒体５に転写する二次転写ロール３０と、トナー像を記録媒体５に定着させる定着装置４０と、中間転写ベルト２１を駆動する第１の駆動モータ３２と、定着装置４０を駆動する第２の駆動モータ４７とを備える。そして、識別手段によって記録媒体５の搬送方向に沿った長さが閾値以上であると識別されたとき、第１の駆動モータ３２の制御部による制御をフィードバック制御と異なる制御に切替手段によって切り替えることにより、画質低下が発生するのを抑制する。【選択図】図１
2015025949.tif 000002
【特許請求の範囲】
【請求項１】
トナー像を保持するトナー像保持体と、
前記トナー像保持体に保持されたトナー像を記録媒体に転写する転写手段と、
前記トナー像を前記記録媒体に定着させる定着手段と、
前記トナー像保持体を駆動する第１の駆動手段と、
前記定着手段を駆動する第２の駆動手段と、
前記第１の駆動手段をフィードバック制御を含む複数の制御に切替可能に制御する制御手段と、
前記記録媒体の搬送方向に沿った長さが閾値以上であるか否かを識別する識別手段と、
前記識別手段によって前記記録媒体の搬送方向に沿った長さが閾値以上であると識別されたとき、前記制御手段による制御をフィードバック制御と異なる制御に切り替える切替手段と
を備えたことを特徴とする画像形成装置。
【請求項２】
前記切替手段は、前記識別手段によって識別された前記記録媒体の搬送方向に沿った長さが閾値以上であるとき、前記制御手段による制御を定速制御に切り替えることを特徴とする請求項１に記載の画像形成装置。
【請求項３】
前記制御手段は、第２の駆動手段をフィードバック制御を含む複数の制御に切替可能に制御するものであり、
前記切替手段は、前記識別手段によって識別された前記記録媒体の搬送方向に沿った長さが閾値以上であるとき、前記制御手段による制御をフィードバック制御に切り替えることを特徴とする請求項１又は２に記載の画像形成装置。
【発明の詳細な説明】
【技術分野】
【０００１】
この発明は、画像形成装置に関するものである。
【背景技術】
【０００２】
従来、画像形成装置においては、ユーザの多様なニーズに応えるため、例えば、Ａ４サイズやＡ３サイズ等の定形紙以外に、ポスターや横断幕、縦幕などの長尺な記録用紙に画像を形成することが求められている。このような長尺な記録用紙に画像を形成する場合、記録用紙が転写部と定着部との間にわたって存在するため、転写部と定着部との間で速度を制御する技術が求められる。
【０００３】
かかる画像形成装置に関する技術としては、例えば、特許文献１〜３に開示されているものが既に提案されている。
【０００４】
特許文献１は、制御手段による制御内容が特別モードに切り換えられた場合には、各画像形成手段のうち、定着手段に最も近い被記録材搬送方向下流側の少なくとも１つの画像形成手段を選択し、その選択された画像形成手段による画像形成動作を休止させるとともに、この選択された画像形成手段による画像形成動作を休止させている間に、搬送手段による被記録材の搬送速度、および定着手段によるトナー画像定着動作の速度をそれぞれ減速させる制御が行われるように構成したものである。
【０００５】
特許文献２は、転写ベルトを走行させる転写ベルト駆動手段と、定着ローラ対を回転駆動する定着ローラ駆動手段と、転写ベルトの走行速度を検出する転写ベルト速度検出手段と、転写ベルト速度検出手段によって検出された転写ベルトの走行速度が、搬送速度検出手段によって検出された記録紙の搬送速度よりも、所定速度差を保って速くなるように、転写ベルト駆動手段又は定着ローラ駆動手段の少なくとも一方を駆動制御する制御手段とを備えるように構成したものである。
【０００６】
特許文献３は、制御部が、撓みセンサが所定量以上の撓みを検出したとき、用紙に対し第２ニップ部で第２の機能を果たす用紙搬送速度ｆ２が用紙に対し第１ニップ部で第１の機能を果たす用紙搬送速度ｆ１に近づくように第２駆動手段を制御するとともに、用紙に対し第３ニップ部で第３の機能を果たす用紙搬送速度ｆ３をｆ２に追随差せるように第３駆動手段を制御するように構成したものである。
【先行技術文献】
【特許文献】
【０００７】
【特許文献１】特開２００２−  ９１１１７号公報
【特許文献２】特開２００４−１５１３８３号公報
【特許文献３】特開２０１０−２５４４４７号公報
【発明の概要】
【発明が解決しようとする課題】
【０００８】
この発明が解決しようとする課題は、記録媒体が転写部と定着部との間にわたって介在することにより画質低下が発生するのを抑制することを可能とした画像形成装置を提供することにある。
【課題を解決するための手段】
【０００９】
請求項１に記載された発明は、トナー像を保持するトナー像保持体と、
前記トナー像保持体に保持されたトナー像を記録媒体に転写する転写手段と、
前記トナー像を前記記録媒体に定着させる定着手段と、
前記トナー像保持体を駆動する第１の駆動手段と、
前記定着手段を駆動する第２の駆動手段と、
前記第１の駆動手段をフィードバック制御を含む複数の制御に切替可能に制御する制御手段と、
前記記録媒体の搬送方向に沿った長さが閾値以上であるか否かを識別する識別手段と、
前記識別手段によって前記記録媒体の搬送方向に沿った長さが閾値以上であると識別されたとき、前記制御手段による制御をフィードバック制御と異なる制御に切り替える切替手段と
を備えたことを特徴とする画像形成装置である。
【００１０】
請求項２に記載された発明は、前記切替手段は、前記識別手段によって識別された前記記録媒体の搬送方向に沿った長さが閾値以上であるとき、前記制御手段による制御を定速制御に切り替えることを特徴とする請求項１に記載の画像形成装置である。
【００１１】
請求項３に記載された発明は、前記制御手段は、第２の駆動手段をフィードバック制御を含む複数の制御に切替可能に制御するものであり、
前記切替手段は、前記識別手段によって識別された前記記録媒体の搬送方向に沿った長さが閾値以上であるとき、前記制御手段による制御をフィードバック制御に切り替えることを特徴とする請求項１又は２に記載の画像形成装置である。
【発明の効果】
【００１２】
請求項１に記載された発明によれば、その構成を有しない場合に比べて、記録媒体が転写部と定着部との間にわたって介在することにより画質低下が発生するのを抑制することができる。
【００１３】
請求項２に記載された発明によれば、その構成を有しない場合に比べて、記録媒体が転写部と定着部との間にわたって介在することにより画質低下が発生するのを抑制することができる。
【００１４】
請求項３に記載された発明によれば、その構成を有しない場合に比べて、記録媒体が転写部と定着部との間にわたって介在することにより画質低下が発生するのを確実に抑制することができる。
【図面の簡単な説明】
【００１５】
【図１】この発明の実施の形態１に係る画像形成装置を示す概略構成図である。
【図２】この発明の実施の形態１に係る画像形成装置の画像形成部を示す構成図である。
【図３】長尺紙を示す模式図である。
【図４】制御回路を示すブロック図である。
【図５】この発明の実施の形態１に係る画像形成装置の動作を示す構成図である。
【図６】この発明の実施の形態１に係る画像形成装置の動作を示す構成図である。
【図７】この発明の実施の形態１に係る画像形成装置の動作を示す構成図である。
【発明を実施するための形態】
【００１６】
以下に、この発明の実施の形態について図面を参照して説明する。
【００１７】
［実施の形態１］
図１及び図２は、実施の形態１に係る画像形成装置を示すものである。図１はその画像形成装置の全体の概要を示し、図２はその画像形成装置における要部（作像装置など）を拡大して示している。
【００１８】
＜画像形成装置の全体の構成＞
実施の形態１に係る画像形成装置１は、例えばカラープリンタとして構成されたものである。この画像形成装置１は、現像剤４を構成するトナーで現像されるトナー像を形成する画像形成手段としての複数の作像装置１０と、各作像装置１０で形成されたトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。
【００１９】
この画像形成装置１は、例えば、記録用紙５に形成すべき原稿画像を入力する図示しない画像入力装置を追加して装備させた場合にはカラー複写機として構成することができる。図中の１ａは画像形成装置の筐体を示し、この筐体１ａは支持構造部材、外装カバー等で形成されている。また、図中の一点鎖線は、筐体１ａ内において記録用紙５が搬送される主な搬送経路を示す。
【００２０】
＜画像形成装置の要部の構成＞
作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。この４つの作像装置１０（Ｙ，Ｍ，Ｃ，Ｋ）は、筐体１ａの内部空間において１列に並べた状態となるよう配置されている。
【００２１】
各作像装置１０（Ｙ，Ｍ，Ｃ，Ｋ）は、図１や図２に示されるように、回転する感光体ドラム１１を備えており、この感光体ドラム１１の周囲に、次のような各装置が主に配置されている。主な装置とは、感光体ドラム１１の像形成が可能な周面（像保持面）を所要の電位に帯電させる帯電装置１２と、感光体ドラム１１の帯電された周面に画像の情報（信号）に基づく光ＬＢを照射して電位差のある（各色用の）静電潜像を形成する露光装置１３と、その静電潜像を対応する色（Ｙ，Ｍ，Ｃ，Ｋ）の現像剤４のトナーで現像してトナー像にする現像装置１４（Ｙ，Ｍ，Ｃ，Ｋ）と、その各トナー像を中間転写装置２０に転写する一次転写装置１５と、一次転写後における感光体ドラム１１の像保持面に残留して付着するトナー等の付着物を帯電させる清掃前帯電装置１６と、その再帯電された付着物を取り除いて清掃するドラム清掃装置１７、感光体ドラム１１の清掃後における像保持面を除電する除電器１８等である。
【００２２】
感光体ドラム１１は、接地処理される円筒状又は円柱状の基材の周面に感光材料からなる光導電性層（感光層）を有する像保持面を形成したものである。この感光体ドラム１１は、図示しない回転駆動装置から動力が伝達されて矢印Ａで示す方向に回転するように支持されている。
【００２３】
帯電装置１２は、感光体ドラム１１に接触しない状態で配置されるコロナ放電器等の非接触型の帯電装置で構成される。帯電装置１２は、その放電部材に対して帯電用電圧が供給される。帯電用電圧としては、現像装置１４が反転現像を行うものである場合、その現像装置１４から供給されるトナーの帯電極性と同じ極性の電圧又は電流が供給される。
【００２４】
露光装置１３は、画像形成装置１に入力される画像の情報に応じて構成される光（矢付き点線）ＬＢを、帯電された後の感光体ドラム１１の周面に対して照射して静電潜像を形成するものである。露光装置１３には、潜像形成時になると画像形成装置１に任意の手段で入力される画像の情報（信号）が送信される。
【００２５】
現像装置１４（Ｙ，Ｍ，Ｃ，Ｋ）はいずれも、図２に示されるように、開口部と現像剤４の収容室が形成された筐体１４０の内部に、現像剤４を保持して感光体ドラム１１と向き合う２箇所の現像領域までそれぞれ搬送する２つの現像ロール１４１，１４２と、現像剤４を攪拌しながら現像ロール１４２を通過させるよう搬送する２つのスクリューオーガー等の攪拌搬送部材１４３，１４４と、現像ロール１４２に保持される現像剤の量（層厚）を規制する層厚規制部材１４５などを配置して構成されたものである。この現像装置１４には、その現像ロール１４１，１４２と感光ドラム１１の間に現像用電圧が図示しない電源装置から供給される。また、現像ロール１４１，１４２や攪拌搬送部材１４３，１４４は、図示しない回転駆動装置からの動力が伝達されて所要の方向に回転する。さらに、上記４色の現像剤４（Ｙ，Ｍ，Ｃ，Ｋ）としては、非磁性トナーと磁性キャリアを含む二成分現像剤が使用される。
【００２６】
一次転写装置１５は、感光体ドラム１１の周面に接触して回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００２７】
ドラム清掃装置１７は、図２に示されるように、一部が開口する容器状の本体１７０と、一次転写後の感光体ドラム１１の周面に所要の圧力で接触するように配置されて残留トナー等の付着物を取り除いて清掃する清掃板１７１と、清掃板１７１よりも感光体ドラム１１の回転方向上流側で感光体ドラム１１の周面に接触して回転するよう配置される回転ブラシロール１７２と、清掃板１７１で取り除いたトナー等の付着物を回収して図示しない回収システムに送り出すよう搬送するスクリューオーガー等の送出部材１７３等で構成されている。清掃板１７１としては、ゴム等の材料からなる板状の部材（例えばブレード）が使用される。
【００２８】
中間転写装置２０は、図１に示されるように、各作像装置１０（Ｙ，Ｍ，Ｃ，Ｋ）の下方の位置に存在するように配置される。この中間転写装置２０は、感光体ドラム１１と一次転写装置１５（一次転写ロール）の間となる一次転写位置を通過しながら矢印Ｂで示す方向に回転するトナー像保持体としての中間転写ベルト２１と、中間転写ベルト２１をその内面から所望の状態に保持して回転自在に支持する複数のベルト支持ロール２２〜２９と、ベルト支持ロール２８に支持されている中間転写ベルト２１の外周面（像保持面）側に配置されて中間転写ベルト２１上のトナー像を記録用紙５に二次転写させる二次転写装置３０と、二次転写装置３０を通過した後に中間転写ベルト２１の外周面に残留して付着するトナー、紙粉等の付着物を取り除いて清掃するベルト清掃装置３１とで主に構成されている。
【００２９】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は駆動ロールとして構成され、ベルト支持ロール２３，２４，２５，２７，２９ａ，２９ｂは中間転写ベルト２１の走行位置などを保持する従動ロールとして構成され、ベルト支持ロール２６は張力付与ロールとして構成され、ベルト支持ロール２８は二次転写のバックアップロールとして構成されている。
【００３０】
駆動ロールとしてのベルト支持ロール２２は、第１の駆動手段としての中間転写ベルト駆動モータ３２によって図示しない駆動力伝達手段としてのギアを介して回転駆動される。また、ベルト支持ロール２２の回転軸には、中間転写ベルト２１の回転速度を検出する速度検出手段としてのロータリーエンコーダ１０５が装着されている。
【００３１】
二次転写装置３０は、図１に示されるように、中間転写装置２０におけるベルト支持ロール２８に支持されている中間転写ベルト３１の外周面部分である二次転写位置に接触する二次転写ロールを備えた接触型の二次転写装置から構成されている。また、二次転写ロール３０又は中間転写装置２０の支持ロール２８には、トナーの帯電極性と逆極性又は同極性を示す直流の電圧が二次転写用電圧として供給される。なお、中間転写装置２０の支持ロール２８に二次転写用電圧を印加する場合には、例えば、支持ロール２８の周面に接触した状態で配置された電圧印加ロール２８ａを用いて電圧印加が行われる。
【００３２】
定着装置４０は、記録用紙５の導入口及び排出口が形成された図示しない筐体の内部に、矢印で示す方向に回転するとともに表面温度が所定の温度に保持されるよう加熱手段によって加熱される定着ベルト４１を備えた加熱回転体４２と、この加熱回転体４２の軸方向にほぼ沿う状態で所定の圧力で接触して従動回転するロール形態の加圧用回転体４３などを配置して構成されたものである。加熱回転体４２は、定着ベルト４１を回転可能に支持する加熱ロール４４と、定着ベルト４１に張力を付与する張力付与ロール４５と、定着ベルト４１を内側から加圧用回転体としての加圧ロール４３に圧接させる押圧部材４６とを備えている。この定着装置４０では、加熱回転体４２と加圧用回転体４３が接触する接触部（ニップ部）が所要の定着処理（加熱及び加圧）を行う定着処理部になる。
【００３３】
定着装置４０は、例えば、加圧ロール４３を第２の駆動手段としての定着装置駆動モータ４７により駆動力伝達手段としてのギアを介して回転駆動することで、加圧ロール４３に圧接される定着ベルト４１を矢印方向に沿って従動回転させるよう構成されている。なお、加圧ロール４３に代えて加熱ロール４４を回転駆動しても良い。
【００３４】
給紙装置５０は、中間転写装置２０及び二次転写装置３０の下方側の位置に存在するように配置される。この給紙装置５０は、所望のサイズ、種類等の記録用紙５を積載した状態で収容する単数（又は複数）の用紙収容体５１と、用紙収容体５１から記録用紙５を１枚ずつ送り出す送出装置５２とで主に構成されている。用紙収容体５１は、例えば、筐体１ａの正面（使用者が操作時に向き合う側面）側に引き出すことができるように取り付けられている。
【００３５】
給紙装置５０と二次転写装置３０との間には、給紙装置５０から送り出される記録用紙５を二次転写位置まで搬送する複数の用紙搬送ロール５３〜５６や図示しない搬送ガイド材で構成される搬送手段としての給紙搬送装置５７が設けられている。給紙搬送装置５７において二次転写位置の直前の位置に配置される用紙搬送ロール５６は、例えば記録用紙５の搬送時期を調整することで、結果的に二次転写位置に到達する記録用紙５の位置を調整するロール（レジストロール）として構成されている。また、二次転写装置３０と定着装置４０との間には、二次転写装置としての二次転写ロール３０から送り出される二次転写後の記録用紙５を定着装置４０まで搬送するためのベルト形態等の用紙搬送装置５７が設けられている。また、定着装置４０の出口には、定着処理後の記録用紙５を排出する排出ロール５８を備えている。さらに、筐体１ａに形成される用紙の排出口に近い部分には、定着装置４０の排出ロール５８により送り出される定着後の記録用紙５を筐体１ａの外部に排出するための用紙排出ロール５９が設けられている。
【００３６】
また、筐体１ａの一側面には、手差し給紙装置６０を備えている。手差し給紙装置６０は、所望のサイズ、種類等の記録用紙５を積載した状態で配置する積載台６１と、積載台６１から記録用紙５を１枚ずつ送り出す送出装置６２とで主に構成されている。
【００３７】
手差し給紙装置５０から給紙される記録用紙５としては、例えば、図３に示されるように、記録用紙５の幅Ｗに対して長さＬが通常の定形サイズの用紙より大幅に長く設定された長尺紙を用いることができる。一般に流通している長尺紙としては、富士ゼロックス社；名称「長尺用紙」、坪量１２７ｇｍｓ、サイズ２９７ｍｍ×１２００ｍｍ、富士ゼロックス社；名称「長尺用紙」、坪量１５７ｇｍｓ、サイズ２１０ｍｍ×９００ｍｍ、富士ゼロックス社；名称「長尺用紙」、坪量１５７ｇｍｓ、サイズ２９７ｍｍ×９００ｍｍ、ネットリコー社；名称「長尺用紙タイプ１」、坪量１２７．９ｇｍｓ、サイズ２９７ｍｍ×８４０ｍｍ、ネットリコー社；名称「長尺用紙  マシュマロ１１０Ｋ」、坪量１２７．９ｇｍｓ、サイズ２１０ｍｍ×９００ｍｍ、セイコーエプソン社；名称「長尺用紙  ＬＰＣＣＪＹ１」、坪量１２７ｇｍｓ、サイズ２９７ｍｍ×１２００ｍｍ、沖データ社；名称「エクセレントホワイト  Ａ３長尺  ＰＰＲ−ＣＴ５ＤＡ」、坪量１２８ｇｍｓ、サイズ２９７ｍｍ×１２００ｍｍ、沖データ社；名称「エクセレントホワイト  Ａ４長尺  ＰＰＲ−ＣＴ５ＤＡ」、坪量１２８ｇｍｓ、サイズ２１０ｍｍ×１２００ｍｍ、ペーパーグッド（通販）社；名称「ＰＯＰ用紙  シルクライト」、坪量１２７．９ｇｍｓ、サイズ２９７ｍｍ×９００ｍｍ、ペーパーグッド（通販）社；名称「長尺ＰＯＰ用紙  白上質紙」、坪量１２７．９ｇｍｓ、サイズ２９７ｍｍ×９００ｍｍ、山新ネットショップオリジナル（通販）社；名称「長尺ＰＯＰ用紙  」、坪量１２７．９ｇｍｓ、サイズ２１０ｍｍ×９００ｍｍなど種々のものがある。なお、ロール状に巻かれるか又は折り畳まれた連続紙は長尺紙に含まれる。
【００３８】
この長尺紙５は、搬送方向に沿った長さＬが８４０〜１２００ｍｍと通常使用されるＡ３サイズの記録用紙等と比較して大幅に長く設定されている。また、画像形成装置１の二次転写位置における二次転写ロール３０と支持ロール２８とのニップ部と、定着装置４０の加圧ロール４３と押圧部材４６とのニップ部間の搬送方向に沿った長さは、約４００ｍｍ程度に設定されており、長尺紙５は、二次転写位置におけるニップ部と定着装置４０のニップ部間の搬送方向に沿った長さを超える長さを有している。
【００３９】
この実施の形態では、記録用紙５の搬送方向に沿った長さが閾値以上であるか否かを識別する識別手段を有している。ここで、長尺紙５か否かを識別する閾値は、例えば、二次転写位置のニップ部と定着装置４０のニップ部との間の長さである４００ｍｍよりも長い、例えば、５００ｍｍ程度に設定される。画像形成装置１は、記録用紙５の搬送方向に沿った長さを検出して閾値以上であるか否かを識別する識別装置を備えるように構成することができる。ただし、現在使用されている長尺紙５は、上述したように、搬送方向に沿った長さＬが８４０〜１２００ｍｍと通常使用されるＡ３サイズの記録用紙等と比較して大幅に長く設定されているため、記録用紙５の搬送方向に沿った長さを検出して閾値以上であるか否かを識別する意義はそれ程なく、後述するように、記録用紙５が長尺紙か否かをユーザーの選択によって識別するよう構成しても良い。また、長尺紙５は、手差し給紙装置６０から給紙される。
【００４０】
＜画像形成装置の全体及び要部の動作＞
以下、画像形成装置１による基本的な画像形成動作について説明する。
【００４１】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を代表して説明する。
【００４２】
画像形成装置１は、画像形成動作（プリント）の要求の指令情報を受けると、４つの作像装置１０（Ｙ，Ｍ，Ｃ，Ｋ）、中間転写装置２０、二次転写装置３０、定着装置４０等が始動する。
【００４３】
そして、各作像装置１０（Ｙ，Ｍ，Ｃ，Ｋ）においては、まず各感光体ドラム１１が矢印Ａで示す方向に回転し、各帯電装置１２が各感光体ドラム１１の表面を所要の極性（実施の形態１ではマイナス極性）及び電位にそれぞれ帯電させる。続いて、露光装置１３が、帯電後の感光ドラム１１の表面に対し、画像形成装置１に入力される画像の情報を各色成分（Ｙ，Ｍ，Ｃ，Ｋ）に変換して得られる画像の信号に基づいて発光される光ＬＢを照射し、その表面に所要の電位差で構成される各色成分の静電潜像をそれぞれ形成する。
【００４４】
続いて、各現像装置１４（Ｙ，Ｍ，Ｃ，Ｋ）が、感光体ドラム１１に形成された各色成分の静電潜像に対し、所要の極性（マイナス極性）に帯電された対応する色（Ｙ，Ｍ，Ｃ，Ｋ）のトナーを現像ロール１４１，１４２からそれぞれ供給して静電的に付着させて現像を行う。この現像により、各感光体ドラム１１に形成された各色成分の静電潜像は、その対応する色のトナーでそれぞれ現像された４色（Ｙ，Ｍ，Ｃ，Ｋ）のトナー像として顕像化される。
【００４５】
続いて、各作像装置１０（Ｙ，Ｍ，Ｃ，Ｋ）の感光ドラム１１上に形成された各色のトナー像が一次転写位置まで搬送されると、一次転写装置１５が、その各色のトナー像を中間転写装置２０の矢印Ｂで示す方向に回転する中間転写ベルト２１に対して順番に重ね合わせるような状態で一次転写させる。
【００４６】
また、一次転写が終了した各作像装置１０では、清掃前帯電装置１６が一次転写後の感光体ドラム１１の表面に残留するトナー等の付着物を再帯電した後、ドラム清掃装置１７が再帯電された付着物を掻き取るように除去して感光体ドラム１１の表面を清掃し、最後に、除電器１８が清掃後の感光体ドラム１１の表面を除電する。これにより、各作像装置１０は次の作像動作が可能な状態にされる。
【００４７】
続いて、中間転写装置２０では、中間転写ベルト２１の回転により一次転写されたトナー像を保持して二次転写位置まで搬送する。一方、給紙装置５０では、作像動作に合わせて所要の記録用紙５を給紙搬送装置５８に送り出す。給紙搬送装置５８では、レジストロールとしての用紙搬送ロール５６が記録用紙５を転写時期に合わせて二次転写位置に送り出して供給する。
【００４８】
二次転写位置においては、二次転写装置３０が、中間転写ベルト２１上のトナー像を記録用紙５に一括して二次転写させる。また、二次転写が終了した中間転写装置２０では、ベルト清掃装置３１が、二次転写後の中間転写ベルト２１の表面に残留したトナー等の付着物を取り除いて清掃する。
【００４９】
続いて、トナー像が二次転写された記録用紙５は、中間転写ベルト２１と二次転写ロール３０から剥離された後に搬送装置５７により定着装置４０まで搬送される。定着装置４０では、回転する加熱回転体４２と加圧回転体４３との間の接触部（ニップ部）に二次転写後の記録用紙５を導入して通過させることにより、必要な定着処理（加熱及び加圧）をして未定着のトナー像を用紙５に定着させる。最後に、定着が終了した後の記録用紙５は、その片面への画像の形成を行うだけの画像形成動作のときは、用紙排出ロール対５９により、例えば筐体１ａの外部に設置される図示しない排出収容部にむけて排出される。
【００５０】
以上の動作により、４色のトナー像を組み合わせて構成されるフルカラー画像が形成された記録用紙５が出力される。
【００５１】
＜画像形成装置の特徴部分の構成＞
図４はこの実施の形態に係る画像形成装置の制御部を示すブロック図である。
【００５２】
図４において、１００はＣＰＵやメモリ等の電子部品からなる制御部であり、図示しないＲＯＭに記憶されたプログラムに基づいて図示しないＲＡＭに記憶されたパラメータ等を参照しつつ画像形成装置１の画像形成動作を統括的に制御する。また、制御部１００は、中間転写ベルト２１及び定着装置４０の駆動を制御する制御手段としても機能する。さらに、制御部１００は、後述するコントロールパネル１０１から記録用紙５として普通紙ではなく、長尺紙が指定された場合には、中間転写ベルト２１及び定着装置４０の駆動制御を普通紙モードから長尺紙モードにおける制御へと切り替える切替手段としても機能する。
【００５３】
制御部１００は、普通紙モードが指定された場合、ロータリーエンコーダ１０５からの速度検出信号に基づいて中間転写ベルト２１の駆動速度が目標速度と等しい速度となるよう駆動モータ３２を駆動するフィードバック制御によって制御するとともに、定着装置４０の駆動速度を駆動モータ４７を一定の速度で回転駆動する定速制御によって制御する。
【００５４】
一方、制御部１００は、長尺用紙モードが指定された場合、中間転写ベルト２１の速度制御をロータリーエンコーダ１０５からの速度検出信号に基づくフィードバック制御ではなく、中間転写ベルト２１の駆動モータ３２を一定の速度で回転駆動するフィードバック制御と異なる制御である定速制御によって制御する。また、定着装置４０の駆動速度をロータリーエンコーダ１０５からの速度検出信号に基づいて定着装置４０の駆動速度が目標速度と等しい速度となるよう駆動モータ４７を駆動するフィードバック制御によって制御する。なお、中間転写ベルト２１の駆動速度が目標速度と定着装置４０の駆動速度の目標速度とは、例えば、同じ速度に設定される。
【００５５】
ここで、駆動モータ４７又は駆動モータ３２を一定の速度で回転駆動する定速制御としては、例えば、モータ自体が生成するＦＧ（Frequency  Generator）信号を用いて駆動モータ４７，３２を一定の速度で回転駆動するブラシレスのＤＣモータで使用されている制御を挙げることができる。
【００５６】
なお、フィードバック制御以外に切替可能な制御としては、公知の任意の制御方式を採用することができる。
【００５７】
１０１は画像形成装置１のコントロールパネルを示しており、コントロールパネル１０１は、図４（ｂ）に示されるように、ユーザーに操作メニューや警告、メッセージ等を表示する表示部を兼ねるとともに表示した操作メニューに対する各種設定等を受け付けるタッチパネル１０２、及び複数の操作ボタン１０３を有している。タッチパネル１０２は、ユーザーが記録用紙５として普通紙ではなく長尺用紙の指定を行う長尺紙指定ボタン１０４を備えている。制御部１００は、長尺紙指定ボタン１０４が操作された場合、給紙される記録用紙５が長尺紙であると識別するとともに長尺紙モードが選択されたと判定し、長尺紙指定ボタン１０４が押されていない場合には、普通紙モードが選択されたと判定する。
【００５８】
１０５は上述したように中間転写ベルト２１の駆動ロール２２の回転軸に取り付けられた回転検出手段としてのロータリーエンコーダを示しており、ロータリーエンコーダ１０５からは、駆動ロール２２の回転速度、即ち中間転写ベルト２１の移動速度に対応した速度検出信号が出力される。
【００５９】
１０６は中間転写ベルト２１の駆動モータ３２を駆動する中間転写ベルト駆動回路を、１０７は定着装置４０の駆動モータ４７を駆動する定着装置駆動回路をそれぞれ示している。
【００６０】
＜画像形成装置の特徴部分の動作＞
この実施の形態に係る画像形成装置１は、画像形成動作（プリント）の要求の指令情報を受けると、制御部１００がコントロールパネル１０１の長尺紙指定ボタン１０４が押されたか否かに応じて普通紙モード又は長尺紙モードのいずれが選択されたかを判定する。制御部１００は、普通紙モードが選択されたと判定すると、中間転写ベルト２１の速度制御をフィードバック制御に設定する（切り替える）とともに、定着装置４０の速度制御を定速制御に設定する。
【００６１】
そして、制御部１００は、４つの作像装置１０（Ｙ，Ｍ，Ｃ，Ｋ）、中間転写装置２０、二次転写装置３０、定着装置４０等を始動させ、上述したように画像形成動作を実行する。
【００６２】
このとき、普通紙モードが選択された場合、普通紙からなる記録用紙５の搬送方向に沿った長さは、図１に示されるように、二次転写位置のニップ部と定着装置４０のニップ部との間の用紙搬送距離よりも短いため、記録用紙５が二次転写位置のニップ部と定着装置４０のニップ部との間にわたって存在することがなく、中間転写ベルト２１の二次転写位置を通過した記録用紙５は、その先端が定着装置４０のニップ部に進入する際、記録用紙５の後端は、二次転写位置のニップ部を通過している。
【００６３】
その結果、中間転写ベルト２１の移動速度と定着装置４０の搬送速度とが相互に干渉する事態が生じることはなく、制御部１００は、中間転写ベルト２１の移動速度が目標速度と等しい速度となるようフィードバック制御し、中間転写ベルト２１を駆動する駆動系のギアの偏心成分による速度変動等が生じるのを抑制し、良好な画質を維持することができる。
【００６４】
また、制御部１００は、定着装置４０における加圧ロール４３を定速制御して記録用紙５上にカラートナー像を定着し、カラートナー像が定着された記録用紙５を用紙排出ロール５９により外部に排出する。
【００６５】
一方、制御部１００は、ユーザーによってコントロールパネル１０１が操作され、長尺紙モードが選択されたと判定すると、中間転写ベルト２１の速度制御を定速制御に切り替えて設定するとともに、定着装置４０の速度制御をフィードバック制御に切り替えて設定する。
【００６６】
そして、制御部１００は、４つの作像装置１０（Ｙ，Ｍ，Ｃ，Ｋ）、中間転写装置２０、二次転写装置３０、定着装置４０等を始動し、画像形成動作を実行する。
【００６７】
このとき、長尺紙モードが選択された場合、長尺紙からなる記録用紙５の搬送方向に沿った長さは、図５に示されるように、二次転写位置のニップ部と定着装置４０のニップ部との搬送距離よりも長いため、長尺紙５が二次転写位置のニップ部と定着装置４０のニップ部との間にわたって普通紙と比較して相体的に長い時間介在することとなる。その結果、先端が定着装置４０のニップ部に進入した長尺紙５は、その後端が二次転写位置のニップ部において中間転写ベルト２１からトナー像が二次転写されている状態にある。
【００６８】
本実施の形態では、制御部１００は、定着装置４０の駆動速度がロータリーエンコーダ１０５によって検出された中間転写ベルト２１の移動速度と等しい速度となるよう駆動モータ４７をフィードバック制御することにより、中間転写ベルト２１の二次転写位置のニップ部における移動速度と、定着装置４０のニップ部の搬送速度との間にずれが発生することを防止乃至抑制することにより、長尺紙５へのトナー像の定着とトナー像の二次転写とが良好に行われる。また、定着装置４０の搬送速度が中間転写ベルト２１の移動速度に影響することが回避され、各作像装置１０（Ｙ，Ｍ，Ｃ，Ｋ）においてトナー像の一次転写がなされている場合に、一次転写画像に位置ずれ即ちカラーレジずれ等の画質低下が発生することが防止乃至抑制される。
【００６９】
これに対して、長尺紙モードが選択された場合、普通紙と同様に中間転写ベルト２１の速度制御をフィードバック制御としたときには、次のような不具合が発生する虞れがある。すなわち、定着装置４０の搬送速度が中間転写ベルト２１の移動速度よりも速くなるような速度差が存在した場合には、図６に示されるように、長尺紙５が定着装置４０の搬送速度に応じて搬送され、中間転写ベルト２１の二次転写位置のニップ部との間で長尺紙５が引っ張られてしまい、中間転写ベルト２１の移動速度が目標速度より速くなる。その結果、中間転写ベルト２１の移動速度の増速がロータリーエンコーダ１０５によって検出され、制御部１００は、中間転写ベルト２１の移動速度を減速する方向にフィードバック制御することとなり、長尺紙５が定着装置５０と中間転写ベルト２１の二次転写位置のニップ部との間で更なる引っ張りを受ける虞れがある。
【００７０】
一方、定着装置４０の搬送速度が中間転写ベルト２１の移動速度よりも遅くなるような速度差が存在した場合には、図７に示されるように、長尺紙５が定着装置４０の搬送速度に応じて搬送され、中間転写ベルト２１の二次転写位置のニップ部との間で長尺紙５が撓んでループを形成する状態となり、ループ状に撓んだ長尺紙５の剛性により後端側が押し戻されて中間転写ベルト２１の移動速度が目標速度より遅くなる。そのため、中間転写ベルト２１の移動速度の減速がロータリーエンコーダ１０５によって検出され、制御部１００は、中間転写ベルト２１の移動速度を増速する方向にフィードバック制御することとなり、長尺紙５が定着装置５０と中間転写ベルト２１の二次転写位置のニップ部との間で更なるループ状に撓んだ状態となる虞れが生じる。
【００７１】
このように、本実施の形態によれば、中間転写ベルト２１の二次転写位置のニップ部と定着装置４０のニップ部との間にわたって介在するような長さを有する長尺紙５に画像を形成する場合であっても、中間転写ベルト２１の移動速度と定着装置４０の搬送速度との間に速度が生じることにより、長尺紙５に対して引っ張り力や押し込み力が作用するのを回避乃至抑制することができ、中間転写ベルト２１の速度変動に起因した転写位置におけるカラーレジずれ等の画質低下が発生するのを防止乃至抑制することができる。
【００７２】
尚、前記実施の形態では、中間転写ベルト２１の移動速度を検出する速度検出手段としてのロータリーエンコーダ１０５を駆動ロールとしての搬送ロール２２に配置した場合について説明したが、これに限定されるものでなく、速度検出手段としてのロータリーエンコーダ１０５は、張力付与ロールとしての支持ロール２６や二次転写のバックアップロールとしての支持ロール２８に設けるように構成しても良い。
【符号の説明】
【００７３】
１…画像形成装置、２１…中間転写ベルト、４０…定着装置、３２…駆動モータ、４７…駆動モータ、１００…制御部、１０１…コントロールパネル、１０４…長尺紙選択ボタン、１０５…ロータリーエンコーダ
【図１】
2015025949.tif 000003
【図２】
2015025949.tif 000004
【図３】
2015025949.tif 000005
【図４】
2015025949.tif 000006
【図５】
2015025949.tif 000007
【図６】
2015025949.tif 000008
【図７】
2015025949.tif 000009